(57)【要約】【課題】  発電モータとフライホイールを組み合わせることにより、発電と同時にフライホイールを蓄勢することができる駆動ユニットを提供する。【解決手段】  駆動ユニット１は、ユニット本体２と、ユニット本体２に回動可能に設けられた駆動軸８と、ユニット本体２に設けられ、駆動軸８に歯車群１０を介して動力を伝達するフライホイール３１と、ユニット本体２に設けられ、前記歯車群１０の内の一つの歯車２７に連係された発電モータ３２とを有する。【選択図】図１
2012223208.tif 000002
【特許請求の範囲】
【請求項１】
ユニット本体と、
ユニット本体に回動可能に設けられた駆動軸と、
ユニット本体に設けられ、駆動軸に歯車群を介して動力を伝達するフライホイールと、
ユニット本体に設けられ、前記歯車群の内の一つの歯車に連係された発電モータと、
を有することを特徴とする駆動ユニット。
【請求項２】
ユニット本体には、取付板が固定されており、
当該取付板には、前記歯車群が回動可能に取り付けられ、一方の面側に発電モータが設けられ、他方の面側にフライホイールが設けられていることを特徴とする請求項１記載の駆動ユニット。
【請求項３】
玩具本体には、
請求項１又は２記載の駆動ユニットと電子基板が設けられ、
前記電子基板には、前記駆動ユニットの発電モータによって発電された電気を充電する充電部と、前記充電部に充電された電気の放電により駆動する電子部品とを備え、
駆動ユニットの駆動軸には駆動輪が取り付けられ、
玩具本体には、両端に車輪が取り付けられた車軸が回動可能に設けられていることを特徴とする走行玩具。
【請求項４】
前記電子部品は、前記充電部に充電された電気の放電により発光する発光素子であることを特徴とする請求項３記載の走行玩具。
【請求項５】
玩具本体には、前記充電部に充電された電気の放電により発音する発音体が設けられていることを特徴とする請求項３又は４記載の走行玩具。
【請求項６】
玩具本体と、
玩具本体の前部に回動可能に設けられた前輪と、
玩具本体の後部に回動可能に設けられた後輪と、
玩具本体に設けられ、前輪及び後輪の少なくとも一方に歯車群を介して動力を伝達するフライホイールと、
玩具本体に設けられ、前輪及び後輪の少なくとも一方の回転により発電する発電モータと、
玩具本体に設けられ、前記発電モータによって発電された電気を充電する充電部と、
玩具本体に設けられ、前記充電部に充電された電気の放電により駆動する電子部品と、
を有することを特徴とする走行玩具。
【請求項７】
前記発電モータは、前記歯車群の内の一つの歯車に連係されていることを特徴とする請求項６記載の走行玩具。
【請求項８】
前記電子部品は、前記充電部に充電された電気の放電により発光する発光素子であることを特徴とする請求項６又は７記載の走行玩具。
【請求項９】
玩具本体には、前記充電部に充電された電気の放電により発音する発音体が設けられていることを特徴とする請求項６、７又は８記載の走行玩具。
【発明の詳細な説明】
【技術分野】
【０００１】
本発明は、フライホイールと発電モータを内蔵し、フライホイールの蓄勢と同時に発電モータを駆動させて発電させる駆動ユニット、及びフライホイールと発電モータを内蔵し、フライホイールの蓄勢と同時に発電モータを駆動させて充電させた充電部の放電により電子部品を作動させるようにした走行玩具に係るものである。
【背景技術】
【０００２】
従来、充電式の駆動ユニットは、駆動軸を回転させると、これと連動する発電モータも回転してコンデンサに充電を行い、このコンデンサの放電により発電モータを回転させて、駆動軸を駆動するものが存在した。また、従来、充電式の走行玩具は、駆動輪を回転させると、これと連動する発電モータも回転してコンデンサに充電を行い、このコンデンサの放電により発電モータを回転させて、走行するものが存在した（例えば、特許文献１）。
【先行技術文献】
【特許文献】
【０００３】
【特許文献１】実開平６−３１７９６号公報
【発明の概要】
【発明が解決しようとする課題】
【０００４】
上記した充電式の駆動ユニットは、コンデンサの充電を駆動軸の回転で行っていたため、充電量が小さく、駆動時間が短いという問題点があった。また、上記した充電式の走行玩具は、コンデンサの充電を駆動輪の回転で行っていたため、充電量が小さく、走行距離が短いという問題点があった。上記した充電式の走行玩具は、発電モータのみによって走行するので、走行するための動力性能が低く、そのため、走行距離及び走行時間が短く、すぐに停止してしまうという問題点があった。
【０００５】
本願発明は、上記問題点に鑑み案出したものであって、発電モータとフライホイールを組み合わせることにより、発電と同時にフライホイールを蓄勢することができ、駆動時間が長く、さらに動力性能を高めることができる駆動ユニットを提供することを第１の目的とする。また、発電モータとフライホイールを組み合わせることにより、発電と同時にフライホイールを蓄勢することができ、発電モータとフライホイールの動力により、動力性能が高く、走行距離及び走行時間が長い走行玩具を提供することを第２の目的とする。
【課題を解決するための手段】
【０００６】
本願請求項１記載の駆動ユニットは、上記第１の目的を達成するため、ユニット本体と、ユニット本体に回動可能に設けられた駆動軸と、ユニット本体に設けられ、駆動軸に歯車群を介して動力を伝達するフライホイールと、ユニット本体に設けられ、前記歯車群の内の一つの歯車に連係された発電モータとを有することを特徴とする。
【０００７】
本願請求項２記載の駆動ユニットは、上記第１の目的を達成するため、ユニット本体には、取付板が固定されており、当該取付板には、前記歯車群が回動可能に取り付けられ、一方の面側に発電モータが設けられ、他方の面側にフライホイールが設けられていることを特徴とする。
【０００８】
本願請求項３記載の走行玩具は、上記第２の目的を達成するため、玩具本体には、請求項１又は２記載の駆動ユニットと電子基板が設けられ、前記電子基板には、前記駆動ユニットの発電モータによって発電された電気を充電する充電部と、前記充電部に充電された電気の放電により駆動する電子部品とを備え、駆動ユニットの駆動軸には駆動輪が取り付けられ、玩具本体には、両端に車輪が取り付けられた車軸が回動可能に設けられていることを特徴とする。
【０００９】
本願請求項４記載の走行玩具は、上記第２の目的を達成するため、前記電子部品は、前記充電部に充電された電気の放電により発光する発光素子であることを特徴とする。
【００１０】
本願請求項５記載の走行玩具は、上記第２の目的を達成するため、玩具本体には、前記充電部に充電された電気の放電により発音する発音体が設けられていることを特徴とする。
【００１１】
本願請求項６記載の走行玩具は、上記第２の目的を達成するため、玩具本体と、玩具本体の前部に回動可能に設けられた前輪と、玩具本体の後部に回動可能に設けられた後輪と、玩具本体に設けられ、前輪及び後輪の少なくとも一方に歯車群を介して動力を伝達するフライホイールと、玩具本体に設けられ、前輪及び後輪の少なくとも一方の回転により発電する発電モータと、玩具本体に設けられ、前記発電モータによって発電された電気を充電する充電部と、玩具本体に設けられ、前記充電部に充電された電気の放電により駆動する電子部品とを有することを特徴とする。
【００１２】
本願請求項７記載の走行玩具は、上記第２の目的を達成するため、前記発電モータは、前記歯車群の内の一つの歯車に連係されていることを特徴とする。
【００１３】
本願請求項８記載の走行玩具は、上記第２の目的を達成するため、前記電子部品は、前記充電部に充電された電気の放電により発光する発光素子であることを特徴とする。
【００１４】
本願請求項９記載の走行玩具は、上記第２の目的を達成するため、玩具本体には、前記充電部に充電された電気の放電により発音する発音体が設けられていることを特徴とする。
【発明の効果】
【００１５】
本願発明に係る駆動ユニットは、ユニット本体と、ユニット本体に回動可能に設けられた駆動軸と、ユニット本体に設けられ、駆動軸に歯車群を介して動力を伝達するフライホイールと、ユニット本体に設けられ、前記歯車群の内の一つの歯車に連係された発電モータとを有する。
【００１６】
本願発明に係る駆動ユニットは、駆動軸を強制的に回転させると、歯車群を介してフライホイールが回転し、駆動軸を解放すると、このフライホイールが動力源となって、歯車群を介して駆動軸を回転させることができる。また、歯車群の回転によって、発電モータを駆動することができるので、発電モータが発電を行い、この発電によって発生した電力により各電子部品を作動させることができる。このように、本願発明に係る駆動ユニットは、フライホイールを蓄勢するのと略同時に発電を行い、機械的エネルギーと電気的エネルギーを略同時に発生させることができ、走行玩具に搭載した場合に走行玩具の動力性能を高め、各電子部品を駆動して興趣ある構成にすることができるという効果がある。
【００１７】
本願発明に係る駆動ユニットは、ユニット本体には、取付板が固定されており、当該取付板には、前記歯車群が回動可能に取り付けられ、一方の面側に発電モータが設けられ、他方の面側にフライホイールが設けられている。本願発明に係る駆動ユニットは、取付板の両側に、重量のあるフライホイールと発電モータを配置したため、重量バランスが取れた構成にすることができるという効果がある。
【００１８】
本願発明に係る走行玩具は、玩具本体に上記駆動ユニットと電子基板が設けられ、前記電子基板に、前記駆動ユニットの発電モータによって発電された電気を充電する充電部と、前記充電部に充電された電気の放電により駆動する電子部品とを備え、駆動ユニットの駆動軸には駆動輪が取り付けられ、玩具本体には、両端に車輪が取り付けられた車軸が回動可能に設けられている。
【００１９】
本願発明に係る走行玩具は、玩具本体を把持し、駆動輪を接地させて回転させると、駆動軸、歯車群を介してフライホイールが回転し、玩具本体を離すと、このフライホイールが動力源となって、歯車群、駆動軸を介して駆動輪が回転し走行することができる。また本願発明に係る走行玩具は、歯車群の回転によって、発電モータを駆動することができるので、発電モータが発電を行い、この発電によって発生した電気を充電部が充電する一方、玩具本体を離すことによって、充電部に充電された電気の放電により電子部品及び発電モータが駆動し、フライホイールの機械的エネルギーと発電モータの電気的エネルギーにより、走行時間及び走行距離を向上させることができるという効果がある。
【００２０】
本願発明に係る走行玩具は、玩具本体と、玩具本体の前部に回動可能に設けられた前輪と、玩具本体の後部に回動可能に設けられた後輪と、玩具本体に設けられ、前輪及び後輪の少なくとも一方に歯車群を介して動力を伝達するフライホイールと、玩具本体に設けられ、前輪及び後輪の少なくとも一方の回転により発電する発電モータと、玩具本体に設けられ、前記発電モータによって発電された電気を充電する充電部と、玩具本体に設けられ、前記充電部に充電された電気の放電により駆動する電子部品とを有する。
【００２１】
本願発明に係る走行玩具は、玩具本体を把持し、前輪及び後輪を接地させて回転させると、歯車群を介してフライホイールが回転し、玩具本体を離すと、このフライホイールが動力源となって、歯車群を介して前輪又は後輪が回転し走行することができる。また、本願発明に係る走行玩具は、前輪及び後輪の少なくとも一方の回転によって発電モータを駆動することができるので、発電モータが発電を行い、この発電によって発生した電気を充電部が充電する一方、玩具本体を離すことによって、充電部に充電された電気の放電により電子部品及び発電モータが駆動し、フライホイールの機械的エネルギーと発電モータの電気的エネルギーにより、走行時間及び走行距離を向上させることができるという効果がある。
【００２２】
本願発明に係る走行玩具は、前記発電モータは、前記歯車群の内の一つの歯車に連係されているので、前輪又は後輪のみで、フライホイールと発電モータを駆動させることができ、簡単な構造にすることができるという効果がある。
【００２３】
本願発明に係る走行玩具は、充電部の放電により、電子部品を作動させることができるという効果がある。例えば、前記電子部品がＬＥＤ等の発光素子である場合には、走行中に、充電部に充電された電気の放電により発光させることができる。また、本願発明に係る走行玩具は、玩具本体に発音体を設けることができ、前記充電部に充電された電気の放電により走行中発音体を発音させることができるという効果がある。
【図面の簡単な説明】
【００２４】
【図１】本願発明に係る駆動ユニットの一つの実施の形態を示す分解斜視図である。
【図２】本願発明に係る駆動ユニットの組立説明図であって、（ａ）は左側面図、（ｂ）は右側面図、（ｃ）は正面図、（ｄ）は底面図である。
【図３】本願発明に係る駆動ユニットの使用説明図であって、（ａ）は左側面図、（ｂ）は右側面図、（ｃ）は平面図、（ｄ）は斜視図である。
【図４】本願発明に係る走行玩具の電気構成を示す回路図である。
【図５】本願発明に係る走行玩具の説明図であって、（ａ）が正面図、（ｂ）が側面図、（ｃ）が平面図である。
【図６】本願発明に係る走行玩具の全体図であって、（ａ）が平面図、（ｂ）が底面図、（ｃ）が側面図、（ｄ）が透視斜視図、（ｅ）が斜視図である。
【図７】図５の走行玩具の取付構成を示す斜視図である。
【図８】走行玩具の利用形態を示す説明図である。
【図９】他の駆動ユニットの説明図であって、（ａ）は左側面図、（ｂ）は正面図、（ｃ）は右側面図、（ｄ）は底面図、（ｅ）は一部省略した底面図である。
【発明を実施するための形態】
【００２５】
図１，５に示すように、駆動ユニット１は、ユニット本体２と、ユニット本体２に回動可能に設けられた駆動軸８と、ユニット本体２に設けられ、駆動軸８に歯車群１０を介して動力を伝達するフライホイール３１と、ユニット本体２に設けられ、前記歯車群１０の内の一つの歯車２５に連係された発電モータ３２とを有する。
【００２６】
駆動ユニット１は、駆動軸８を強制的に回転させると、歯車群１０を介してフライホイール３１が回転する。駆動軸８を解放すると、このフライホイール３１が動力源となって、歯車群１０を介して駆動軸８を回転させることができる。また、歯車群１０の回転によって、発電モータ３２を駆動することができるので、発電モータ３２が発電を行い、この発電によって発生した電力により各電子部品５１，５５〜５８を作動させることができる。このように、駆動ユニット１は、フライホイール３１を蓄勢するのと略同時に発電を行い、機械的エネルギーと電気的エネルギーを略同時に発生させることができ、走行玩具４１に搭載した場合に走行玩具４１の動力性能を高め、各電子部品を駆動して興趣ある構成にすることができる。
【００２７】
駆動ユニット１は、ユニット本体２に取付板５が固定されている。当該取付板５には、前記歯車群１０が回動可能に取り付けられ、一方の面６側に発電モータ３２が設けられ、他方の面７側にフライホイール３１が設けられている。駆動ユニット１は、取付板５の両側に、重量のあるフライホイール３１と発電モータ３２を配置したため、重量バランスが取れた構成にすることができる。
【００２８】
図５，７に示すように、走行玩具４１は、玩具本体４２に上記駆動ユニット１と電子基板５０が設けられている。前記電子基板５０には、前記駆動ユニット１の発電モータ３２によって発電された電気を充電する充電部５２と、前記充電部５２に充電された電気の放電により駆動する電子部品５１とを備えている（図４参照）。駆動ユニット１の駆動軸８には駆動輪４０が取り付けられている。玩具本体４２には、両端に車輪４５，４５が取り付けられた車軸４３が回動可能に設けられている。
【００２９】
走行玩具４１は、玩具本体４２を把持し、駆動輪４０を接地させて回転させると、駆動軸８、歯車群１０を介してフライホイール３１が回転し、玩具本体４２を離すと、このフライホイール３１が動力源となって、歯車群１０、駆動軸８を介して駆動輪４０が回転し走行することができる。また走行玩具４１は、歯車群１０の回転によって、発電モータ３２を駆動することができるので、発電モータ３２が発電を行い、この発電によって発生した電気を充電部５２が充電する一方、玩具本体４２を離すことによって、充電部５２に充電された電気の放電により電子部品５１及び発電モータ３２が駆動し、フライホイール３１の機械的エネルギーと発電モータ３２の電気的エネルギーにより、走行時間及び走行距離を向上させることができる。
【００３０】
走行玩具４１は、玩具本体４２と、玩具本体４２の前部に回動可能に設けられた前輪４５と、玩具本体４２の後部に回動可能に設けられた後輪４０と、玩具本体４２に設けられ、前輪４５及び後輪４０の少なくとも一方に歯車群１０を介して動力を伝達するフライホイール３１と、玩具本体４２に設けられ、前輪４５及び後輪４０の少なくとも一方の回転により発電する発電モータ３２と、玩具本体４２に設けられ、前記発電モータ３２によって発電された電気を充電する充電部５２と、玩具本体４２に設けられ、前記充電部５２に充電された電気の放電により駆動する電子部品５１，５５〜５８とを有する（図４参照）。
【００３１】
走行玩具４１は、玩具本体４２を把持し、前輪４５及び後輪４０を接地させて回転させると、歯車群１０を介してフライホイール３１が回転し、玩具本体４２を離すと、このフライホイール３１が動力源となって、歯車群１０を介して前輪４５及び後輪４０の少なくとも一方が回転し走行することができる。また、走行玩具４１は、前輪４５及び後輪４０の少なくとも一方の回転によって発電モータ３２を駆動することができるので、発電モータ３２が発電を行い、この発電によって発生した電気を充電部５２が充電する一方、玩具本体４２を離すことによって、充電部５２に充電された電気の放電により電子部品５１，５５〜５８及び発電モータ３２が駆動し、フライホイール３１の機械的エネルギーと発電モータ３２の電気的エネルギーにより、走行時間及び走行距離を向上させることができる。
【００３２】
走行玩具４１は、前記発電モータ３２が、前記歯車群１０の内の一つの歯車２５に連係されているので、前輪４５又は後輪４０のみで、フライホイール３１と発電モータ３２を駆動させることができ、簡単な構造にすることができる。
【００３３】
走行玩具４１は、充電部５２の放電により、電子部品５１，５５〜５８を作動させることができる。例えば、前記電子部品５５〜５８がＬＥＤ等の発光素子である場合には、走行中に、充電部５２に充電された電気の放電により発光させることができる。また、走行玩具４１は、玩具本体４２に発音体４７を設けることができ、前記充電部５２に充電された電気の放電により電子部品５１を駆動して走行中発音体４７を発音させることができる。
【００３４】
さらに駆動ユニット１について詳細に説明する。図１，５に示すように、駆動ユニット１は、ケース（ユニット本体）２を有し、内部に取付板５が取り付けられている。ケース（ユニット本体）２は、右半体３と左半体４に２分割され、右半体３と左半体４が接合されてネジ等により固定されて形成されている。前記取付板５は、この右半体３と左半体４に挟み込まれるようにしてケース（ユニット本体）２に固定されている。
【００３５】
取付板５には、増速歯車群１０と、フライホイール３１と、発電モータ３２が取り付けられている。即ち、取付板５の一方の面（右面）６側には、第１の増速歯車群１１が設けられ、取付板５の他方の面（左面）７側には、第２の増速歯車群２１が設けられている。図２に示すように、第１の増速歯車群１１は、第１の回転軸１２に固定された第１の小歯車１３及び第１の平歯車１４と、第２の回転軸１５に固定され、第１の平歯車１４と噛み合う第２の小歯車１６と第２の平歯車１７と、第３の回転軸１８に固定され、第２の平歯車１７と噛み合う第３の小歯車１９とからなる。第１の回転軸１２、第２の回転軸１５及び第３の回転軸１８は、取付板５に回動可能にとりつけられている。
【００３６】
第２の増速歯車群２１は、前記第３の回転軸１８に固定された第４の平歯車２２と、ホイール軸２３に固定され、第４の平歯車２２と噛み合うホイール歯車２５と、モータ軸３３に固定され、ホイール歯車２５と噛み合うモータ歯車２７とからなる。ホイール軸２３は、取付板５に回動可能に取り付けられ、取付板５の他方の面（左面）７側に配置されたフライホイール３１が固定して取り付けられている。また、モータ軸３３は、取付板５の一方の面（右面）６側に固定された発電モータ３２の回転軸であって、取付板５の他方の面（左面）７側に突出し、この突出部にモータ歯車２７が固定して取り付けられている。
【００３７】
ケース（ユニット本体）２には、駆動軸８が回動可能に設けられている。駆動軸８には、駆動歯車９が固定されている。駆動軸８は、取付板５に形成された略Ｕ字状の切り欠き５ａに差し込まれ、駆動歯車９が取付板５に回動可能に設けられた前記第１の小歯車１３と噛み合うようになっている。駆動ユニット１は、取付板５の両側に、重量のあるフライホイール３１と発電モータ３２を配置したため、重量バランスが取れた構成になっているが、さらに増速歯車群１０を第１の増速歯車群１１と第２の増速歯車群２１に分割し、第１の増速歯車群１１を取付板５の一方の面６側に配置し、第２の増速歯車群２１を取付板５の他方の面７側に配置したので、より一層バランスがとれた構成となっている。
【００３８】
駆動ユニット１は、ケース（ユニット本体）２から突出する駆動軸８を一方に回転させると、駆動歯車９，第１の小歯車１３，第１の平歯車１４，第２の小歯車１６，第２の平歯車１７，第３の小歯車１９，第３の回転軸１８，第４の平歯車２２，ホイール歯車２５を介して回転が増速されて、フライホイール３１が高速回転を行う。フライホイール３１が高速回転を行うので、ホイール歯車２５の回転がモータ歯車２７に伝達されて、モータ軸３３が高速回転を行い、発電モータ３２が発電する。
【００３９】
本実施の形態では、前記駆動ユニット１は、発電モータ３２がフライホイール３１を回転させる歯車群１０のホイール歯車２５に連係された形となっており、第４の平歯車２２にホイール歯車２５を噛み合わせ、ホイール歯車２５にモータ歯車２７を噛み合わせるようにしたが、噛み合わせる順番を替え、第４の平歯車２２にモータ歯車２７を噛み合わせ、モータ歯車２７にホイール歯車２５を噛み合わせるようにしても良い。実施の形態では、ケース（ユニット本体）２の略中央にフライホイール３１が位置していたが、このようにすると、ケース（ユニット本体）２の略中央に発電モータ３２が位置することになり、フライホイール３１と発電モータ３２の位置を変更することができる。
【００４０】
上記駆動ユニット１は、図４乃至７に示すように、走行玩具４１の車台（玩具本体）４２に組み込まれて使用される。車台（玩具本体）４２は、前部に前軸（車軸）４３が回動可能に取り付けられている。前軸４３の両側には、前輪４５，４５が設けられている。前記駆動ユニット１は、車台（玩具本体）４２の後部に組み込まれ、ネジ、係止爪等の固定手段により車台（玩具本体）４２に固定される。駆動軸８の両側には、後輪（駆動輪）４０，４０が取り付けられている。
【００４１】
車台（玩具本体）４２は、前部に収容凹部４６が形成され、当該収容凹部４６内にスピーカー等の発音体４７が収納され、さらに電子基板５０が配置される。電子基板５０には、所定の音を内蔵したＩＣ５１、前記発電モータ３２が発電した電気を充電するコンデンサー５２が設けられている。また、車台（玩具本体）４２には、図８（ａ）に示すように、所定形状のボディ４８ａが取り付けられる。ボディ４８ａのフロント部の両側には、ヘッドライトとして、一対のＬＥＤ５５，５６が設けられている。また、ボディ４８ａのトップ部には、警告灯として、一対のＬＥＤ５７，５８が設けられている。ちなみに、ボディ４８ａはパトカー形状であるが、救急車形状のボディ４８ｂ、トラック形状のボディ４８ｃ、バス形状のボディ４８ｄ、電車形状のボディ４８ｅ等、ボディを様々な形状に形成することができる。
【００４２】
走行玩具４１は、車台（玩具本体）４２を把持し、後輪（駆動輪）４０，４０を接地させて、車台（玩具本体）４２を前方に移動させると、後輪（駆動輪）４０，４０が前方に回転し、駆動軸８、駆動歯車９，第１の小歯車１３，第１の平歯車１４，第２の小歯車１６，第２の平歯車１７，第３の小歯車１９，第３の回転軸１８，第４の平歯車２２，ホイール歯車２５を介して回転が増速されて、フライホイール３１が高速回転を行う。フライホイール３１が高速回転を行うので、ホイール歯車２５の回転がモータ歯車２７に伝達されて、モータ軸３３が高速回転を行い、発電モータ３２が発電する。
【００４３】
発電モータ３２が発電すると、一対のヘッドライト（ＬＥＤ）５５，５６が点灯し、コンデンサー５２に充電される。車台（玩具本体）４２を離すと、走行玩具４１は、フライホイール３１が高速回転を行っているので、前方に走行を行う。また、コンデンサー５２が充電されているので、これの放電により、警告灯（ＬＥＤ）５７，５８が点灯し、略同時にＩＣ５１に記憶された所定のメロディーが発音体４７から流れる。さらに、コンデンサー５２の放電により、発電モータ３２が回転し、あたかもハイブリッドカーの如く、走行玩具４１は、フライホイール３１と発電モータ３２の２つの動力が協力して駆動軸８を回転させることになり、フライホイール３１で走行する以上に走行時間、走行距離を伸ばすことができる。フライホイール３１と発電モータ３２の回転が停止すると、走行玩具４１は停止し、一対のヘッドライト（ＬＥＤ）５５，５６及び警告灯（ＬＥＤ）５７，５８が消灯し、所定のメロディーが発音体４７から流れるのを停止する。
【００４４】
なお、図９に示すように、駆動ユニット１のモータ歯車２７を大歯車２７ａとし、ホイール歯車２５を小歯車２５ａとした場合には、発電モータ３２の回転数が少ないため、発電量、即ちコンデンサー５２の充電量が少なく、そのため、走行玩具１の走行距離が極めて短かく、電子部品５１，５５〜５８の駆動時間も短かった。本実施の形態では、駆動ユニット１は、ホイール歯車２５とモータ歯車２７を略同じ小歯車とし、回転を伝達する第４の平歯車２２を大歯車とすることにより、ホイール歯車２５とモータ歯車２７が高速回転を行い、発電モータ３２の回転数が大きくなり、コンデンサー５２の充電量を十分に確保することができ、走行玩具１の走行時間、走行距離、電子部品の駆動時間を向上させることができる。
【産業上の利用可能性】
【００４５】
本願発明は、充電式駆動ユニット及び充電式自動車玩具として利用可能である。
【符号の説明】
【００４６】
１  駆動ユニット
２  ケース（ユニット本体）
３  右半体
４  左半体
５  取付板
５ａ  切り欠き
６  一方の面（右面）
７  他方の面（左面）
８  駆動軸
９  駆動歯車
１０  増速歯車群
１１  第１の増速歯車群
１２  第１の回転軸
１３  第１の小歯車
１４  第１の平歯車
１５  第２の回転軸
１６  第２の小歯車
１７  第２の平歯車
１８  第３の回転軸
１９  第３の小歯車
２１  第２の増速歯車群
２２  第４の平歯車
２３  ホイール軸
２５  ホイール歯車
２７  モータ歯車
３１  フライホイール
３２  発電モータ
３３  モータ軸
４０  駆動輪（後輪）
４１  走行玩具
４２  車台（玩具本体）
４３  前軸（車軸）
４５  車輪（前輪）
４６  収容凹部
４７  発音体
４８  ボディ
５０  電子基板
５１  ＩＣ
５２  コンデンサー（充電部）
５５  ＬＥＤ
５６  ＬＥＤ
５７  ＬＥＤ
５８  ＬＥＤ
【図１】
2012223208.tif 000003
【図２】
2012223208.tif 000004
【図３】
2012223208.tif 000005
【図４】
2012223208.tif 000006
【図５】
2012223208.tif 000007
【図６】
2012223208.tif 000008
【図７】
2012223208.tif 000009
【図８】
2012223208.tif 000010
【図９】
2012223208.tif 000011